(57)【要約】【課題】狭帯域用と広帯域用など、複数の特性の信号を受信可能なテレビジョン受像機などに備えられ、入力される信号の特性に応じて、最適な輪郭補正を行うことができ、画質の向上が可能な走査速度変調装置を提供する。【解決手段】入力端子１から入力される映像信号をＨＰＦ２で微分処理する。その出力をプリ増幅部３のプリ増幅回路３ａまたはプリ増幅回路３ｂで増幅し、最終出力段５へ入力する。最終出力段５は、プリ増幅部３の出力に基づいたＶＭ電流をＶＭコイル６へドライブする。ＶＭコイル６の巻き数は、スイッチ回路７により、Ｎまたはｎに切り換えられる。このＶＭコイル６の切り換えおよびプリ増幅部３におけるプリ増幅回路３ａまたはプリ増幅回路３ｂの切り換えは、ＣＰＵなどからの切り換え信号によりなされる。【選択図】        図１
2004320501.tif 000002
【特許請求の範囲】
【請求項１】
映像信号を微分する微分手段と、
上記微分手段の出力を増幅する増幅手段と、
上記増幅手段の出力に基づき速度変調電流を生成する速度変調電流生成手段と、
上記速度変調電流が供給され、陰極線管の電子ビームの水平走査速度を変調する補助偏向コイルと、
上記映像信号が広帯域信号の場合に、上記補助偏向コイルの巻き数を減少させるように切り換える切り換え手段と
を備えることを特徴とする走査速度変調装置。
【請求項２】
上記増幅手段が上記映像信号の特性毎に設けられ、さらに上記複数の増幅手段の出力を切り換える切り換え手段を備えることを特徴とする請求項１に記載の走査速度変調装置。
【請求項３】
上記速度変調電流生成手段は、第１の基準電位と第２の基準電位の間に第１および第２のトランジスタのコレクタ・エミッタ通路が接続され、上記第１および第２のトランジスタのコレクタ接続点から上記第２の基準電位点の間に上記補助偏向コイルが挿入された構成であることを特徴とする請求項１に記載の走査速度変調装置。
【発明の詳細な説明】
【０００１】
【発明の属する技術分野】
この発明は、走査速度変調装置に関し、特に、テレビジョン受像機において電子ビームの水平走査速度を変調することで画像の輪郭を補正し画質を向上する走査速度変調装置に適用して好適なものである。
【０００２】
【従来の技術】
従来から、テレビジョン受像機に表示される画像の輪郭を補正する手段として、水平走査速度を変調する方法が知られている。ここで、走査速度の変調について図３を参照しながら簡単に説明する。図３Ａは、陰極線管（以下、ＣＲＴ（Ｃａｔｈｏｄｅ  Ｒａｙ  Ｔｕｂｅ）と称する）の管面上の画像の一例であり、図３Ｂは、その白黒の境目の拡大図である。図３Ｃは、白黒の信号レベルを表し、図３Ｄは、明るさ（輝度）を表し、図３Ｅは、水平走査速度を表す。図３Ｆは、水平走査速度を変調後の画像の拡大図である。
【０００３】
図３Ａに示す画像の場合、図３Ｃに示す信号の立ち上がり及びＣＲＴのフォーカス特性（特に白側）により、図３Ｂに示すように画面上の境目がはっきりしない。図３Ｄは、このときの輝度の変化を表したものである。
【０００４】
そこで図３Ｅに示すように、境目の前半部分の水平走査速度を早く、後半部分の水平走査速度を遅くする。つまり走査速度を変調することで、画面上の境目がはっきりした、図３Ｆに示すような画像が得られる。これは、走査速度を変えることでＣＲＴの螢光体の一定面積に一定時間当たるカソードからの電子の数が変化し、それに応じて明るさが変化する為である。
【０００５】
図３Ｆに示すように、この例では、信号及びＣＲＴのフォーカスの劣化分を補う程度の速度変調になっているが、走査速度の変調量をさらに増やすことで境目の黒側をより黒く、白側をより白くでき、輪郭強調を得ることが可能となる。
【０００６】
次に、この走査速度を変調する一例の方法について説明する。図４は、従来の走査速度変調装置の構成の一例である。以下、図４に示す走査速度変調装置について、図５に示す波形図を参照しながら説明する。まず、入力端子１１から入力される映像信号がＨＰＦ（Ｈｉｇｈ  Ｐａｓｓ  Ｆｉｌｔｅｒ；高域通過フィルタ）１２を通して１次微分される。例えば、図５Ａに示すレベルの映像信号の場合、１次微分後の信号電流および電圧は、図５Ｂに示すようになる。
【０００７】
ＨＰＦ１２の出力がプリ増幅回路１３を通して増幅され、プリ増幅回路１３の出力が最終出力段（ＶＭ−ＯＵＴ）１４を通して、補助偏向コイル（以下、ＶＭコイルと称する）へドライブ電流として供給される。
【０００８】
図６は、最終出力段１４とＶＭコイルの構成の一例を示す。すなわち、最終出力段１４は、第１のトランジスタであるｐｎｐ形トランジスタＱ１のエミッタ側が、第１の基準電位である電源Ｖｃｃと接続されている。第２のトランジスタであるｎｐｎ形トランジスタＱ２のエミッタ側が、第２の基準電位である接地と接続されている。すなわち、第１の基準電位と第２の基準電位の間に第１および第２のトランジスタのコレクタ・エミッタ通路が接続されている。
【０００９】
トランジスタＱ１，Ｑ２のコレクタ間側がＶＭコイル６を介して接地と接続されている。なお、抵抗、コンデンサ等の説明は、ここでは省略する。増幅部３の出力をトランジスタＱ１，Ｑ２のベースに供給することで、トランジスタＱ１のエミッタ・コレクタ間またはトランジスタＱ２のコレクタ・エミッタ間を流れる、増幅部３の出力に応じた電流がＶＭコイルに供給される。
【００１０】
ＶＭコイルは、図７に示すように、ＣＲＴの電子銃のグリッドＧ４の上下に配置されている。よって、最終出力段１４からＶＭコイルに電流が供給されると、それにより発生する磁界によるローレンツ力でカソードからの電子の水平方向の動きが変化する。例えば、時間（ｔ）を横軸に示し、変位量（ＣＲＴの管面上の水平の左端からの距離）を縦軸に示すと、図５Ｂに示す信号電流の変位量は、図５Ｃのようになる。
【００１１】
つまり、１次微分電流で発生するローレンツ力の変化はあくまでビームの変位量であり、これを速度に変換すると、Ｖ＝ｄｘ／ｄｔであるから、図３Ｅまたは図５Ｄのように２次微分となり、上述した図３Ｆに示したような速度変調効果が得られる。
【００１２】
ところで、現在、日本をはじめ世界各地でデジタル放送が始まっており、一部の信号フォーマットでは、ＨＤ（Ｈｉｇｈ  Ｄｅｆｉｎｉｔｉｏｎ）信号などのように、帯域３０ＭＨｚのものが存在し始めている。一方、地上波で、約４．２ＭＨｚとＨＤ信号よりもはるかに狭帯域である、従来からのＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式による放送も存在し、両方の信号を受信し、再生する必要がある。
【００１３】
以下の特許文献１には、異なる２つ以上の信号帯域に対して、上述したような水平走査速度の変調による輪郭補正を行う走査速度変調装置について開示されている。また、特許文献２には、省電力化が図れる電子ビーム駆動磁界発生装置について開示されている。
【００１４】
【特許文献１】
特開平７−１３５５７６号公報
【００１５】
【特許文献２】
特開平７−２７２６３９号公報
【００１６】
【発明が解決しようとする課題】
しかしながら、上述した従来の走査速度の変調には、次のような問題があった。ＶＭコイルの巻き数（Ｎ）、ＶＭコイルのインダクタンス（Ｌ）、補正量＝変位量（Ｘ）、速度変調（以下、ＶＭ（Ｖｅｌｏｃｉｔｙ  Ｍｏｄｕｌａｔｉｏｎ）と称する）電流周波数（ｆｉ＝ｄｉ／ｄｔ）、ＶＭコイル両端の電圧（Ｖ）、ＶＭ電流（Ｉ）の関係は、▲１▼Ｖ＝Ｌ×ｄｉ／ｄｔ、▲２▼Ｘ∝Ｉ×Ｎ、▲３▼Ｌ∝Ｎの２乗となる。
【００１７】
関係▲１▼〜▲３▼により、以下のことがわかる。すなわち、周波数が上がれば上がるほどＶＭコイルの両端の電圧が増え、図６に示すトランジスタＱ１，Ｑ２のコレクタ側のダイナミックレンジが減り、最終出力段１４の電流ドライブ能力が低下する。これにより、最終出力段１４に図８Ａに示すような広帯域の信号が入力されても、図８Ｂ，図８Ｃ，図８Ｄの太線Ｎに示すように、高域部分でＶＭ電流が十分流れない狭帯域な特性を持つ速度変調装置となってしまう。なお、図８Ａは、最終出力段１４の入力信号の周波数特性を示し、図８Ｂは、ＶＭコイル電圧の周波数特性を示し、図８Ｃは、ＶＭコイル電流の周波数特性を示し、図８Ｄは、補正量の周波数特性を示す。
【００１８】
これを回避、すなわち広帯域化を図るには、ＶＭコイルの両端に発生する電圧を減らすしかなく、その為にはＶＭコイルのインダクタンスを減らす、すなわちＶＭコイルの巻き数を減らすしかない。上述した関係▲３▼により、ＶＭコイルの巻き数を減らすと、そのときの電圧降下は、減らした巻き数の２乗で効くため、その効果は大きい。なお、図８Ｂ，図８Ｃの波線ｎは、ＶＭコイルの巻数を減らしたときの周波数特性を示す。しかしながら、巻き数を減らすと、上述した関係▲２▼により、補正量Ｘは、実際にＶＭコイルに流れる電流（Ｉ）とＶＭコイルの巻き数（Ｎ）の乗算で決まるため、図８Ｄの波線ｎに示すように、必然的に減少してしまう。したがって、補正量を多く且つ広帯域特性を持つ速度変調装置の実現は、非常に困難であった。
【００１９】
次に、速度変調装置の消費電力について説明する。速度変調装置の消費電力を主に決めるのは、最終出力段１４の２つのトランジスタ（図６に示すＱ１，Ｑ２）のコレクタ損失（Ｐｃ）である。この２つのトランジスタのコレクタ電圧は、リアルタイムではそれぞれの電流に応じて変動するが、平均的にはＶＭコイルの巻き数に関係なくほぼＶｃｃ／２である。この出力段はＢ級アンプである為、トランジスタＱ１のエミッタ電圧は、Ｖｃｃよりわずかに下がった電圧であり、トランジスタＱ２のエミッタ電圧は、１Ｖ以下と非常に小さく、それぞれのトランジスタの平均的なＶｃｅは、ほぼＶｃｃ／２と見なされる。
【００２０】
Ｐｃ＝Ｖｃｅ×Ｉｃであり、Ｖｃｅは上述したようにＶＭコイルの巻き数に依存しない為、速度変調装置の消費電力は、ＶＭコイル電流Ｉｃでほぼ決まる。したがって、単純にＶＭコイルの電流を増やすと大幅に消費電力が増加する。これらの理由より狭帯域の信号のみ受信可能なテレビジョン受像機では、必要な補正量（∝Ｉ×Ｎ）を得る為には、ＶＭコイルの巻き数を多めにし、ＶＭ電流を少なくして消費電力を減らすのが一般的である。
【００２１】
しかしながら、上述したように、ＶＭコイルの巻き数を減らして広帯域化を図ると補正量が減るがこれを改善するには電流を増やすしかなく、これを行うと上述したように必然的に消費電力が増加してしまうという欠点がある。
【００２２】
上述したように、速度変調による補正量を強くした速度変調装置では帯域的にＨＤ信号には不十分となり、また、ＨＤ信号が満足するような広帯域の速度変調装置では補正量が不十分となってしまう。また、必要以上の消費電力の増加を招いてしまう。したがって、狭帯域と広帯域など複数の信号特性に対する理想的な走査速度の変調を行うことは困難であった。
【００２３】
したがって、この発明の目的は、複数の信号帯域等の信号特性に応じて走査速度の変調ができ、且つ消費電力を抑えて充分な補正量が得られる走査速度変調装置を提供することにある。
【００２４】
【課題を解決するための手段】
上記目的を達成するために、請求項１の発明は、映像信号を微分する微分手段と、微分手段の出力を増幅する増幅手段と、増幅手段の出力に基づき速度変調電流を生成する速度変調電流生成手段と、速度変調電流が供給され、陰極線管の電子ビームの水平走査速度を変調する補助偏向コイルと、映像信号の特性に基づいて、補助偏向コイルの巻き数を切り換える切り換え手段とを備えることを特徴とする走査速度変調装置である。
【００２５】
上述のように構成されたこの発明による走査速度変調装置によれば、補助偏向コイルの両端に現れる電圧が大きくなり、補助偏向コイルに流れる電流をドライブする速度変調電流生成手段でのダイナミックレンジが不足する場合などでも、切り換え手段により、映像信号の特性に基づいて、補助偏向コイルの巻き数を切り換えることにより、不足したダイナミックレンジを補い、理想的な走査速度の変調が可能である。
【００２６】
【発明の実施の形態】
以下、この発明の一実施形態による走査速度変調装置について説明する。図１は、テレビジョン受像機の走査速度変調装置の構成の一例を示す。この走査速度変調装置の主要な回路ブロックは、上述した図４を参照して説明した走査速度変調回路と同様である。すなわち、この一実施形態による走査速度変調装置は、入力端子１、ＨＰＦ２、プリ増幅回路からなる増幅部３、最終出力段５およびＶＭコイル６などで構成される。
【００２７】
ＨＰＦ２は、入力端子１から入力される映像信号、例えば輝度（Ｙ）信号を微分する。この一実施形態による走査速度変調装置では、増幅部３は、複数のプリ増幅回路を備えている。図１に示す例では、増幅部３は、狭帯域用のプリ増幅回路３ａと広帯域用のプリ増幅回路３ｂを有する構成とされている。
【００２８】
増幅部３は、ＨＰＦ２の出力に対して、プリ増幅回路それぞれの特性に応じた増幅を行う。図１に示す例では、ＨＰＦ２の出力に対して、プリ増幅回路３ａは狭帯域用の増幅を施し、プリ増幅回路３ｂは広帯域用の増幅を施す。後述するスイッチ回路４の状態に応じて増幅部３の出力が最終出力段５へ出力される。
【００２９】
最終出力段５は、増幅部３の出力に基づく電流を生成し、ＶＭコイル６へ電流を供給する。最終出力段５は、例えば上述した図６と同様の構成とされる。
【００３０】
ＶＭコイル６は、後述するスイッチ回路７の状態に応じて巻き数が変化するコイルである。ＶＭコイル６は、例えば狭帯域用のＮターンと広帯域用のｎターン（Ｎ＞ｎ）のどちらかに切り換えられるよう構成されており、図１に示す例では、ＶＭコイル６の一端が最終出力段５側に接続され、狭帯域用のＮターンとなる他端が接地されている。狭帯域用のＮターンと広帯域用のｎターンの切り換えは、スイッチ回路７がＶＭコイル６のｎターン目と接地との開放／短絡を制御することでなされる。
【００３１】
例えば、ＶＭコイル６の巻き数をＮからｎ（Ｎ＞ｎ）に変更して、変更前と同じ補正量を得ようとすると、ＶＭコイル６に流れる電流をＮ／ｎ倍する必要がある。この場合、上述したスイッチ回路４は、例えばスイッチ回路７と同期して増幅部３の増幅率をＮ／ｎ倍になるよう切り換えられる。これにより、ＶＭコイル６の巻き数の減少による補正量の不足を回避できる。
【００３２】
ＶＭコイル６は、図示しないＣＲＴの電子銃のグリッドＧ４の上下に設けられている。図７を参照して説明したのと同様、ＶＭコイル６は、ＶＭ電流が供給されることで、ＶＭコイル６の巻き数に応じた磁界を発生させ、その磁界によるローレンツ力でカソードからの電子の水平方向の動きを変化させる。すなわち、水平走査速度の変調がなされる。したがって、この走査速度変調装置を備えるテレビジョン受像機では、速度変調効果による輪郭補正が施された良好な画像が得られる。
【００３３】
上述したスイッチ回路４およびスイッチ回路７は、映像信号の帯域等の特性に応じた切り換え信号に基づいて切り換えられる。この切り換え信号は、図示しないテレビジョン受像機等が備えるＣＰＵ（Ｃｅｎｔｒａｌ  Ｐｒｏｃｅｓｓｉｎｇ  Ｕｎｉｔ）などが信号特性に基づいて制御し、スイッチ回路４およびスイッチ回路７に供給される。
【００３４】
ＣＰＵなどにおける信号特性の判別は、一例として、広帯域であるＨＤ信号の水平周波数が３３．７５ｋＨｚであるのに対して、狭帯域のＮＴＳＣ方式の映像信号が１５．７５ｋＨｚであることにより、水平周波数に応じて切り換えることでなされる。
【００３５】
この速度変調装置では、最終出力段５でのダイナミックレンジ、使用するトランジスタが流すことができる電流容量、ＶＭコイル６に電流を流したときの実際のＣＲＴの管面上での効果（ＶＭ感度）等、種々の条件によって最適なＶＭコイル６の巻き数や電流値が決められる。
【００３６】
図１に示す例では、まず、狭帯域信号にとって十分な帯域と電流が得られるようにＶＭコイル６の巻き数Ｎとプリ増幅回路３ａの電圧利得Ｇ１を設定する。このときの補正量をＸ１とする。図２Ａは、狭帯域信号を受信したときの補正量と周波数特性の関係を示す。
【００３７】
広帯域信号を受信したら、ＶＭコイル６の巻き数を減らしていき、理想の帯域となる巻き数を見つけ出す。これをｎ１とすると、次にプリ増幅回路３ｂの電圧利得Ｇ２をＧ１×Ｎ／ｎ１とし、この条件で最終出力段５のダイナミックレンジ不足による高域成分の増幅劣化がないか否かを確認する。
【００３８】
ここで劣化があるようであれば、さらにＶＭコイル６の巻き数を減らすと共に電圧利得Ｇ２を増やし、最終的に高域信号にとって理想的な巻き数ｎと電圧利得Ｇ２を決定する。このときの補正量をＸ２とする。図２Ｂは、広帯域信号を受信したときの補正量と周波数特性の関係を示す。このようにＮ，ｎ，Ｇ１，Ｇ２を決め、受信される信号帯域に応じてこれらの最適値が選択されることで、理想的な帯域特性と理論上狭帯域信号と広帯域信号で同等（図２のＸ１＝Ｘ２）の補正を得ることが可能な速度変調装置が実現する。
【００３９】
以上説明したように、この一実施形態の走査速度変調装置によれば、スイッチ回路７でＶＭコイル６のコイルの巻き数を制御し、スイッチ回路４で増幅部３の出力を制御している。これにより、狭帯域用と広帯域用など、信号特性に応じた走査速度の変調が可能となる。例えば、狭帯域の信号のみを受信可能な周波数特性を有する従来のテレビジョン受像機に対して適用した場合、狭帯域の信号を受信したときには、従来と同じ周波数特性と補正量を保つことができ、広帯域な信号を受信したときは、スイッチ回路７でＶＭコイル６の巻き数を減らす（等価的にＬ値を下げる）ことで、不足したダイナミックレンジを補い、その信号帯域に応じた広帯域化と適正な補正量の確保が可能となる。よって、狭帯域な信号と広帯域な信号の両方受信可能なテレビジョン受像機では、狭帯域信号と広帯域信号の両方を良好な画質にすることができる。
【００４０】
また、この一実施形態による走査速度変調装置によれば、信号の帯域に関わらず正確な走査速度の変調を行うことができるため、テレビジョン受像機において、広帯域な信号を受信しても、細くて鋭い輪郭強調と細部の再現性の向上等の画質改善効果が可能となる。また、狭帯域の信号を受信した場合は、狭帯域な信号のみ受信可能なテレビジョン受像機と同等の強い輪郭強調による鮮鋭度を出すことができる。
【００４１】
また、狭帯域の信号を受信した場合は、広帯域を受信したときに対してＶＭ電流が自動的に減るため、巻き数を減らすスイッチが無い構成と比較して、大幅な消費電力の削減が可能である。例えば、最終出力段５のトランジスタに供給されるＶＣＣが１３５Ｖの場合において、広帯域信号を受信しているときに平均０．２ＡのＶＭ電流が流れ、狭帯域信号を受信したときにＶＭ電流が８０％の０．１６Ａになった場合には、２７Ｗから２１．６Ｗとなり、５．４Ｗの消費電力が削減される。
【００４２】
この発明は、上述したこの発明の一実施形態に限定されるものでは無く、この発明の要旨を逸脱しない範囲内で様々な変形や応用が可能である。例えば、上述した一実施形態では、狭帯域と広帯域の信号とで同等な補正を得るとしたが、実際には帯域の違いや画造り上の違いから、必ずしも同等な補正を得なくても良い（図２のＸ１≠Ｘ２）。このような場合は、最終出力段５のダイナミックレンジの不足等を注意しつつ、最適なＮ，ｎ，Ｇ１，Ｇ２を選べば良い。
【００４３】
また、広帯域にＶＭ電流が流せるようになると補正量は理論値より多くなる傾向がある。したがって、上述した一実施形態では、理論上同等または最適な補正を得る為に、ＶＭコイル６の巻き数と増幅部３の出力の両方を切り換えたが、プリ増幅回路を複数設けず、ＶＭコイル６の巻き数を変更するだけで速度変調を行ってもよい。
【００４４】
また、一実施形態では、信号特性の種類として、狭帯域と広帯域信号の２種類の信号帯域を受信する場合について述べたが、これに限ったものではない。例えば、ＮＴＳＣ方式でもＤＶＤ（Ｄｉｇｉｔａｌ  Ｖｅｒｓａｔｉｌｅ  Ｄｉｓｃ）など、地上波放送の倍近く帯域があるものが存在する。また、同じ広帯域信号でも、７２０ｐ信号（ライン数が７２０本でプログレッシブを意味する）など、水平周波数の違うものが存在する。このような信号特性の違いにおいても、ＶＭコイル６の巻き数や増幅部３の出力を複数通り設けておき、適宜選択することで個々の信号に最適な速度変調を実現することが可能である。
【００４５】
また、受信信号の帯域特性だけでなく、テレビジョン受像機の状態に応じて、ＶＭコイル６の巻き数や増幅部３の利得を選択することで、最適な速度変調特性を得ることができる。例えば、入力信号が狭帯域であっても、テレビジョン受像機が２画面や多画面機能等を有し、圧縮された映像（信号帯域が機内で伸びる場合）を用いる場合に、これら機能を使用したときに広帯域用に切り換わる設定をしておくことにより、これら機能を使用した場合においても、速度変調効果を得ることができ、最適な輪郭強調と細部の再現性向上等がなされた画質の向上が図れる。
【００４６】
速度変調の強弱の調節をユーザに開放しており、それにより速度変調のレベルが中や弱に設定されている、または画質モードなどによって弱く設定されている等により、ＶＭコイル６の巻き数がＮであり、且つ増幅部３の電圧利得がＧ１である狭帯域用の状態で広帯域の信号を受信した場合でも、最終出力段５でダイナミックレンジの余裕があり、広帯域が維持できるならば、スイッチ回路４およびスイッチ回路７を狭帯域用の状態となるようにすることで、消費電力を減らすことができる。
【００４７】
【発明の効果】
以上説明したように、この発明によれば、映像信号の特性に基づいて補助偏向コイルの巻き数を切り換えていることにより、複数の異なる特性の映像信号に対応した走査速度の変調が可能であり、且つそれによる消費電力の増加を抑えることが可能である。よって、複数の異なる特性の映像信号にそれぞれ最適な輪郭補正を消費電力を抑えて行うことができる。
【図面の簡単な説明】
【図１】この発明の一実施形態による走査速度変調装置の構成の一例を示す略線図である。
【図２】この発明の一実施形態による走査速度変調装置を使用したときの補正量と周波数特性との関係を示す一例の略線図である。
【図３】走査速度の変調による輪郭補正を説明するための略線図である。
【図４】従来の走査速度変調装置の構成の一例を示す略線図である。
【図５】走査速度の変調を説明するための略線図である。
【図６】最終出力段の構成の一例を示す略線図である。
【図７】走査速度変調の原理を説明するための略線図である。
【図８】速度変調装置の周波数特性を示す略線図である。
【符号の説明】
１・・・入力端子、２・・・ＨＰＦ、３・・・増幅部、３ａ・・・プリ増幅回路（狭帯域用）、３ｂ・・・プリ増幅回路（広帯域用）、４，７・・・スイッチ回路、５・・・最終出力段、６・・・ＶＭコイル
【図１】
2004320501.tif 000003
【図２】
2004320501.tif 000004
【図３】
2004320501.tif 000005
【図４】
2004320501.tif 000006
【図５】
2004320501.tif 000007
【図６】
2004320501.tif 000008
【図７】
2004320501.tif 000009
【図８】
2004320501.tif 000010